(57)【要約】【課題】異物による端子間リークを防止することができるコネクタの嵌合構造を提供すること。【解決手段】雌端子１１が保持される雄型コネクタハウジング６０を有してなる雄型コネクタ５０と、雄型コネクタハウジング６０が内嵌合されるように嵌合方向の一端２０ｃが嵌入口４０ｃとされる嵌合凹部４０を有し、かつ雌端子５１の接続相手となる雄端子１１が嵌合凹部４０内に先端が突出されるようにして保持される雌型コネクタハウジング２０を有してなる雌型コネクタ１０と、のコネクタの嵌合構造１において、雄型コネクタハウジング６０は、雌型コネクタハウジング２０に嵌合された場合、雌型コネクタハウジング２０の嵌合凹部４０の端縁面４０ｂと端縁面４０ｂに繋がる端部外周面４０ａとを覆うように雄型コネクタハウジング６０の外周に沿って立設されてなる覆い壁部７０を有してなる。【選択図】図３
2013222673.tif 000002
【特許請求の範囲】
【請求項１】
雌端子が保持される雄型コネクタハウジングを有してなる雄型コネクタと、前記雄型コネクタハウジングが内嵌合されるように嵌合方向の一端が嵌入口とされる嵌合凹部を有し、かつ前記雌端子の接続相手となる雄端子が前記嵌合凹部内に先端が突出されるようにして保持される雌型コネクタハウジングを有してなる雌型コネクタとのコネクタの嵌合構造において、
前記雄型コネクタハウジングは、
前記雌型コネクタハウジングに嵌合された場合、前記雌型コネクタハウジングの前記嵌合凹部の端縁面と該端縁面に繋がる端部外周面とを覆うように当該雄型コネクタハウジングの外周に沿って立設されてなる覆い壁部
を有してなることを特徴とするコネクタの嵌合構造。
【請求項２】
前記雌型コネクタハウジングは、
前記嵌合凹部が前記雄型コネクタハウジングの嵌合方向後端部まで前記雄型コネクタハウジングを覆うように形成されてなり、
前記覆い壁部は、
前記嵌合方向後端部に設けられてなる
ことを特徴とする請求項１に記載のコネクタの嵌合構造。
【請求項３】
前記雌型コネクタハウジングは、
前記端部外周面が周辺の外周面に比して内側に凹む段差状に形成されてなることを特徴とする請求項１または２に記載のコネクタの嵌合構造。
【請求項４】
前記雄型コネクタは、
前記雄型コネクタハウジングが前記雌型コネクタハウジングに嵌合された場合、前記嵌合凹部内となる位置に形成された前記雄型コネクタハウジングの開口から挿入されるようにして組み付けられ、前記雌端子に当接されることによって前記雌端子を前記雄型コネクタハウジング内に係止する分離型端子係止部
をさらに有してなることを特徴とする請求項１、２または３に記載のコネクタの嵌合構造。
【発明の詳細な説明】
【技術分野】
【０００１】
本発明は、雄型コネクタと雌型コネクタとのコネクタの嵌合構造に関する。
【背景技術】
【０００２】
従来、車両等の電装品の電気的接続のため用いられるコネクタは、雌端子が保持される雄型コネクタハウジングを有してなる雄型コネクタと、雄型コネクタハウジングが内嵌合されるように嵌合方向の一端が嵌入口とされる嵌合凹部を有し、かつ雌端子の接続相手となる雄端子が嵌合凹部内に先端が突出されるようにして保持される雌型コネクタハウジングを有してなる雌型コネクタとのコネクタの嵌合構造が用いられる。このようなコネクタの嵌合構造に用いられる雄型コネクタおよび雌型コネクタは、設置環境に応じて防水用ゴムパッキン等のシーリング部材を用いる防水性のコネクタ、あるいはシーリング部材を用いないことによってコストを抑えるようにしたコネクタ（以下、非防水性のコネクタという。）が用いられる。
例えば、特許文献１には、変速機ケースの内外での電気的な接続を可能とするコネクタの嵌合構造に用いられる雄型コネクタと雌型コネクタのうち、変速機ケース外に配置される非防水性コネクタとしての雄型コネクタが記載されている。
【０００３】
特許文献１に記載された雄型コネクタは、雄型コネクタの雄型コネクタハウジング内に収容される雌端子を、雄型コネクタハウジングとは別体の分離型端子係止部としてのスペーサによって端子収容室内の取り付け完了位置に保持するようになっており、このスペーサに端子収容室同士を隔てた隔壁に重なる重なり壁を設けることによって、雄型コネクタハウジング内に侵入した異物が、隣り合う雌端子間に移動され難くなるようにしている。
【先行技術文献】
【特許文献】
【０００４】
【特許文献１】特開２０１１−１６５３７０号公報
【発明の概要】
【発明が解決しようとする課題】
【０００５】
しかしながら、特許文献１に記載されたコネクタを用いたコネクタの嵌合構造では、図１４の矢印に示すように、雌型コネクタハウジング５００の嵌入口５１０から雄型コネクタハウジング６００と雌型コネクタハウジング５００の間を通って、雄型コネクタハウジング６００の嵌合方向前端部６１０周辺まで異物Ｄが侵入された場合、その異物Ｄによって端子間リークが発生するおそれがあった。
【０００６】
本発明は、上記に鑑みてなされたものであって、異物による端子間リークを防止することができるコネクタの嵌合構造を提供することを目的とする。
【課題を解決するための手段】
【０００７】
上述した課題を解決し、目的を達成するために、本発明の請求項１に係るコネクタの嵌合構造は、雌端子が保持される雄型コネクタハウジングを有してなる雄型コネクタと、前記雄型コネクタハウジングが内嵌合されるように嵌合方向の一端が嵌入口とされる嵌合凹部を有し、かつ前記雌端子の接続相手となる雄端子が前記嵌合凹部内に先端が突出されるようにして保持される雌型コネクタハウジングを有してなる雌型コネクタとのコネクタの嵌合構造において、前記雄型コネクタハウジングは、前記雌型コネクタハウジングに嵌合された場合、前記雌型コネクタハウジングの前記嵌合凹部の端縁面と該端縁面に繋がる端部外周面とを覆うように当該雄型コネクタハウジングの外周に沿って立設されてなる覆い壁部を有してなることを特徴とする。
【０００８】
また、本発明の請求項２に係るコネクタの嵌合構造は、上記の発明において、前記雌型コネクタハウジングは、前記嵌合凹部が前記雄型コネクタハウジングの嵌合方向後端部まで前記雄型コネクタハウジングを覆うように形成されてなり、前記覆い壁部は、前記嵌合方向後端部に設けられてなることを特徴とする。
【０００９】
また、本発明の請求項３に係るコネクタの嵌合構造は、上記の発明において、前記雌型コネクタハウジングは、前記端部外周面が周辺の外周面に比して内側に凹む段差状に形成されてなることを特徴とする。
【００１０】
また、本発明の請求項４に係るコネクタの嵌合構造は、上記の発明において、前記雄型コネクタは、前記雄型コネクタハウジングが前記雌型コネクタハウジングに嵌合された場合、前記嵌合凹部内となる位置に形成された前記雄型コネクタハウジングの開口から挿入されるようにして組み付けられ、前記雌端子に当接されることによって前記雌端子を前記雄型コネクタハウジング内に係止する分離型端子係止部をさらに有してなることを特徴とする。
【発明の効果】
【００１１】
本発明の請求項１に係るコネクタの嵌合構造は、前記雄型コネクタハウジングが前記雌型コネクタハウジングに嵌合された場合、前記雌型コネクタハウジングの前記嵌合凹部の端縁面と該端縁面に繋がる端部外周面とを覆うように当該雄型コネクタハウジングの外周に沿って立設されてなる覆い壁部を有してなるので、前記雌型コネクタハウジングの端部と前記覆い壁部との合わせ目が断面で視てＬ字状となり、異物の侵入経路が複雑化されることによって、異物による端子間リークを防止することができる。
【００１２】
本発明の請求項２に係るコネクタの嵌合構造は、前記嵌合凹部が前記雄型コネクタハウジングの嵌合方向後端部まで前記雄型コネクタハウジングを覆うように形成されてなるので、前記雌型コネクタハウジングの端部と前記覆い壁部との合わせ目から異物が侵入された場合においても、前記雄型コネクタハウジングの嵌合方向前端部、すなわち前記雄端子が前記雄型コネクタハウジング内に挿入される位置までの距離をできるだけ長く設定することができ、異物がより侵入され難くなり、結果的に異物による端子間リークをより効果的に防止することができる。
【００１３】
本発明の請求項３に係るコネクタの嵌合構造は、前記雌型コネクタハウジングの前記端部外周面が周辺の外周面に比して内側に凹む段差状に形成されてなるので、前記雌型コネクタハウジングの端部と前記覆い壁部との合わせ目は、断面で視てより複雑なクランク状になっているので、異物の侵入経路をより複雑化することができる。
【００１４】
本発明の請求項４に係るコネクタの嵌合構造は、前記分離型端子係止部が挿入される前記開口に対して、異物の侵入経路の上流側となる前記雌型コネクタハウジングの端部と前記覆い壁部との合わせ目からの異物の侵入を防ぐことができるので、前記分離型端子係止部が挿入される前記開口からの異物の侵入を防止することができる。
【図面の簡単な説明】
【００１５】
【図１】図１は、本発明の実施例に係るコネクタの嵌合構造の斜視図である。
【図２】図２は、図１に示したコネクタの嵌合構造を雄型コネクタの嵌合方向後端側から視た図である。
【図３】図３は、図２に示したコネクタの嵌合構造のＡ−Ａ線断面図である。
【図４】図４は、図２に示したコネクタの嵌合構造のＢ−Ｂ線断面図である。
【図５】図５は、図１に示した雌型コネクタハウジングを嵌入口側から視た斜視図である。
【図６】図６は、図１に示した雄型コネクタハウジングを嵌合方向前端側から視た斜視図である。
【図７】図７は、図１に示した雄型コネクタを嵌合方向前端側から視た正面図である。
【図８】図８は、図７に示した雄型コネクタのＡ−Ａ線断面図である。
【図９】図９は、図８に示した分離型端子係止部の斜視図である。
【図１０】図１０は、分離型端子係止部を雄型コネクタハウジングに組み付ける手順を示した図である。
【図１１】図１１は、本発明の実施例に係るコネクタの嵌合構造の変形例１のコネクタの嵌合構造の断面図である。
【図１２】図１２は、本発明の実施例に係るコネクタの嵌合構造の変形例２のコネクタの嵌合構造の断面図である。
【図１３】図１３は、本発明の実施例に係るコネクタの嵌合構造の変形例３のコネクタの嵌合構造の断面図である。
【図１４】図１４は、従来技術について説明するための図である。
【発明を実施するための形態】
【００１６】
以下、図面を参照して、本発明に係るコネクタの嵌合構造の実施の形態について詳細に説明する。
【実施例】
【００１７】
図１は、本発明の実施例に係るコネクタの嵌合構造１の斜視図である。図２は、図１に示したコネクタの嵌合構造１を雄型コネクタ５０の嵌合方向後端側から視た図である。図３は、図２に示したコネクタの嵌合構造１のＡ−Ａ線断面図である。図４は、図２に示したコネクタの嵌合構造１のＢ−Ｂ線断面図である。図５は、図１に示した雌型コネクタハウジング２０を嵌入口４０ｃ側から視た斜視図である。図６は、図１に示した雄型コネクタハウジング６０を嵌合方向前端側から視た斜視図である。図７は、図１に示した雄型コネクタ５０を嵌合方向前端側から視た正面図である。なお、図７は、雌端子５１に接続される電線を省略して示している。図８は、図７に示した雄型コネクタ５０のＡ−Ａ線断面図である。図９は、図８に示した分離型端子係止部８０の斜視図である。図１０は、分離型端子係止部８０を雄型コネクタハウジング６０に組み付ける手順を示した図である。
本発明の実施例に係るコネクタの嵌合構造１は、雌端子５１が保持される雄型コネクタハウジング６０を有してなる雄型コネクタ５０と、雄型コネクタハウジング６０が内嵌合されるように嵌合方向の一端２０ｃが嵌入口４０ｃとされる嵌合凹部４０を有し、かつ雌端子５１の接続相手となる雄端子１１が嵌合凹部４０内に先端が突出されるようにして保持される雌型コネクタハウジング２０を有してなる雌型コネクタ１０と、の嵌合構造である。なお、雄型コネクタ５０は、防水用ゴムパッキン等のシーリング部材を用いないようにした非防水性コネクタである。
【００１８】
まず、雌型コネクタ１０について説明する。
雌型コネクタ１０は、本体としての雌型コネクタハウジング２０を有してなる。雌型コネクタハウジング２０は、全体として円筒状をなす絶縁性の部材からなり、筒内部に後述する液中側嵌合凹部３０と嵌合凹部４０とを形成するように仕切り壁２１（図４参照）が設けられ、その仕切り壁２１に８つの雄端子１１が４つずつ２段に分けて保持されるようになっている。すなわち、仕切り壁２１は雄端子１１を保持する端子保持壁として機能するようになっている。
なお、この実施例で用いられる雄端子１１は、両端がタブ状の電気接続部１１ａとされた、いわゆるジョイント端子である。
【００１９】
この雌型コネクタハウジング２０は、径外方向に板状に突出されたフランジ部２２によって、不図示の変速機ケース内に液中側嵌合凹部３０が配置されるように変速機ケースの外面に固定されるようになっている。
【００２０】
液中側嵌合部３０は、変速機ケース内、すなわち潤滑油の中で不図示の相手コネクタと嵌合される部分である。
【００２１】
嵌合凹部４０は、変速機ケース外で雄型コネクタ５０の後述する雄型コネクタハウジング６０が嵌合される部分である。この嵌合凹部４０は、凹部の底部を形成する仕切り壁２１から各雄端子１１の一方の電気接続部１１ａが突出されている。
【００２２】
また、雌型コネクタハウジング２０は、嵌合凹部４０が雄型コネクタハウジング６０の嵌合方向後端部６０ｂまで雄型コネクタハウジング６０を覆うように形成されてなる。
【００２３】
また、嵌合凹部４０の端部外周面４０ａが周辺の外周面２０ａに比して内側に凹む段差状に形成されてなる。
【００２４】
次に、雄型コネクタ５０について説明する。
雄型コネクタ５０は、本体としての雄型コネクタハウジング６０を有してなる。
雄型コネクタハウジング６０は、全体として角柱状をなす絶縁性の部材からなり、内部に８つの雌端子５１が４つずつ２段に分けて収容される８つの端子収容室６１と、覆い壁部７０とを有してなる。
【００２５】
各端子収容室６１は、図８に示すように、上面から片状に突出された弾性片状係合部６１ａが設けられ、この弾性片状係合部６１ａによって、各雌端子５１が各端子収容室６１内の取り付け完了位置に係止されるようになっている。
また、各端子収容室６１には、雄型コネクタハウジング６０の嵌合方向前端側の面から貫通され、各雄端子１１の電気接続部１１ａが挿通される端子挿通孔６１ａが形成されている。
【００２６】
覆い壁部７０は、雄型コネクタハウジング６０が雌型コネクタハウジング２０に嵌合された場合、雌型コネクタハウジング２０の嵌合凹部４０の端縁面４０ｂと端縁面４０ｂに繋がる端部外周面４０ａとを覆うように雄型コネクタハウジング６０の外周６０ａに沿って立設されてなる壁である。
より具体的には、覆い壁部７０は、雄型コネクタハウジング６０の嵌合方向後端部６０ｂの外周６０ａに沿って嵌合方向に直交するように立設された壁からなる嵌合方向直交壁部７１と、嵌合方向直交壁部７１の上端から屈曲され嵌合方向に沿って延出された壁からなる嵌合方向延出壁部７２とを有してなる。
【００２７】
嵌合方向直交壁部７１は、雄型コネクタハウジング６０と雌型コネクタハウジング２０とが嵌合された場合、雄型コネクタハウジング６０の端縁面４０ｂに向かい合うように配置され、嵌合方向に直交する方向で、雌型コネクタハウジング２０の端部外周面４０ａよりも僅かに突出されるようにその高さが設定されている。
【００２８】
嵌合方向延出壁部７２は、雄型コネクタハウジング６０と雌型コネクタハウジング２０とが嵌合された場合、雄型コネクタハウジング６０の端部外周面４０ａに平行に向かいうように配置される。
【００２９】
このため、図４に示すように、雌型コネクタハウジング２０の端部２０ｂと覆い壁部７０との合わせ目Ｃが断面で視てＬ字状になっている。
なお、この実施例では、雌型コネクタハウジング２０の端部２０ｂの外周面が段差状になっているので、雌型コネクタハウジング２０の端部２０ａと覆い壁部７０との合わせ目Ｃは、断面で視てより複雑なクランク状になっている。
【００３０】
また、雄型コネクタ５０は、分離型端子係止部８０を有してなる。
分離型端子係止部８０は、弾性片状係合部６１ａと合わせて各雌端子５１を各端子収容室６１内の取り付け完了位置に係止するものである。
この分離型端子係止部８０は、雄型コネクタハウジング６０が雌型コネクタハウジング２０に嵌合された場合、嵌合凹部４０内となる位置に形成された雄型コネクタハウジング６０の開口６０ｃから挿入されるようにして組み付けられ、各雌端子５１に当接されることによって各雌端子５１を各端子収容室６１内に係止するようになっている。
【００３１】
より具体的には、分離型端子係止部８０は、図９に示すように、雄型コネクタハウジング６０とは別部材とされ、各雌端子５１に当接されるように突起された当接突起部８１が各雌端子５１に応じて設けられている。
このような分離型端子係合部８０は、雄型コネクタハウジング６０に組み付ける場合、図１０に示すように、開口６０ｃからの挿入移動の途中位置で、各雌端子５１が各端子収容室６１に取り付けされ（図１０（ａ）参照）、その後に、取り付け完了位置まで挿入移動されることによって、各当接突起部８１が各雌端子５１に当接されるようになっている。
【００３２】
本発明の実施例に係るコネクタの嵌合構造１は、雄型コネクタハウジング６０が雌型コネクタハウジング２０に嵌合された場合、雌型コネクタハウジング２０の嵌合凹部４０の端縁面４０ｂと端縁面４０ｂに繋がる端部外周面４０ａとを覆うように雄型コネクタハウジング６０の外周に沿って立設されてなる覆い壁部７０を有してなるので、雌型コネクタハウジング２０の端部２０ｂと覆い壁部７０との合わせ目Ｃが断面で視てＬ字状となり、異物の侵入経路が複雑化されることによって異物による端子間リークを防止することができる。
【００３３】
また、本発明の実施例に係るコネクタの嵌合構造１は、嵌合凹部４０が雄型コネクタハウジング６０の嵌合方向後端部６０ｂまで雄型コネクタハウジング６０を覆うように形成されてなるので、雌型コネクタハウジング２０の端部２０ｂと覆い壁部７０との合わせ目から異物が侵入された場合においても、雄型コネクタハウジング６０の嵌合方向前端部、すなわち雄端子１１が雄型コネクタハウジング６０内に挿入される位置までの距離をできるだけ長く設定することができ、異物がより侵入され難くなり、結果的に異物による端子間リークをより効果的に防止することができる。
【００３４】
また、本発明の実施例に係るコネクタの嵌合構造１は、雌型コネクタハウジング２０の端部外周面４０ａが周辺の外周面２０ａに比して内側に凹む段差状に形成されてなるので、雌型コネクタハウジング２０の端部２０ｂと覆い壁部７０との合わせ目Ｃは、断面で視てより複雑なクランク状になっているので、異物の侵入経路をより複雑化することができる。
【００３５】
また、本発明の実施例に係るコネクタの嵌合構造１は、分離型端子係止部８０が挿入される開口６０ｃに対して、異物の侵入経路の上流側となる雌型コネクタハウジング２０の端部２０ｂと覆い壁部７０との合わせ目Ｃからの異物の侵入を防ぐことができるので、分離型端子係止部８０が挿入される開口６０ｃからの異物の侵入を防止することができる。
【００３６】
（変形例１）
次に、図１１を用いて本発明の実施例に係るコネクタの嵌合構造１の変形例１のコネクタの嵌合構造２について説明する。図１１は、本発明の実施例に係るコネクタの嵌合構造１の変形例１のコネクタの嵌合構造２の断面図である。
この変形例１のコネクタの嵌合構造２は、雌型コネクタ１００が、雌型コネクタハウジング６０に代わって雌型コネクタハウジング１１０を有してなる点で実施例のコネクタの嵌合構造１と異なる。
なお、その他の構成は実施例と同様であり、実施例と同一構成部分には同一符号を付している。
【００３７】
雌型コネクタハウジング１１０は、端部外周面４０ａが周辺の外周面と面一となっている。
【００３８】
この変形例１のコネクタの嵌合構造２は、実施例のコネクタの嵌合構造１と同様に、雌型コネクタハウジング１１０の端部２０ｂと覆い壁部７０との合わせ目Ｃが断面で視てＬ字状となり、異物の侵入経路が複雑化されることによって異物による端子間リークを防止することができる。
【００３９】
（変形例２）
次に、図１２を用いて本発明の実施例に係るコネクタの嵌合構造１の変形例２のコネクタの嵌合構造３について説明する。図１２は、本発明の実施例に係るコネクタの嵌合構造１の変形例２のコネクタの嵌合構造３の断面図である。
この変形例１のコネクタの嵌合構造３は、雄型コネクタ２００が、雄型コネクタハウジング６０に代わって雄型コネクタハウジング２１０を有してなり、雌型コネクタ３００が、雌型コネクタハウジング２０に代わって雌型コネクタハウジング３１０を有してなる点で実施例のコネクタの嵌合構造１と異なる。
なお、その他の構成は実施例と同様であり、実施例と同一構成部分には同一符号を付している。
【００４０】
雌型コネクタハウジング３１０は、嵌合凹部４０が雄型コネクタハウジング２１０の嵌合方向前端部から雄型コネクタハウジング２１０の一部を覆うように形成されてなり、
雄型コネクタハウジング２１０は、覆い壁部２２０が嵌合方向後端部より前側に設けられてなる。
【００４１】
この実施例２のコネクタの嵌合構造３は、実施例のコネクタの嵌合構造１と同様に、雌型コネクタハウジング３１０の端部２０ｂと覆い壁部２２０との合わせ目Ｃが断面で視てＬ字状となり、異物の侵入経路が複雑化されることによって異物による端子間リークを防止することができる。
【００４２】
（変形例３）
次に、図１３を用いて本発明の実施例に係るコネクタの嵌合構造１の変形例３のコネクタの嵌合構造４について説明する。図１３は、本発明の実施例に係るコネクタの嵌合構造１の変形例３のコネクタの嵌合構造４の断面図である。
この変形例３のコネクタの嵌合構造３は、雄型コネクタ４００が雄型コネクタハウジング６０に代わって雄型コネクタハウジング４１０を有してなる点で実施例のコネクタの嵌合構造１と異なる。
なお、その他の構成は実施例と同様であり、実施例と同一構成部分には同一符号を付している。
【００４３】
雄型コネクタハウジング４１０は、覆い壁部４２０が、実施例１の覆い壁部７０に比して嵌合方向に沿ってより長く延在されている。
【００４４】
この実施例３のコネクタの嵌合構造４は、実施例のコネクタの嵌合構造１と同様な効果を奏することができる。
しかも、覆い壁部４２０がより長く設定されているので、異物の侵入経路の距離がより長くなることによって異物がより侵入され難くなり、結果的に異物による端子間リークをより効果的に防止することができる。
【００４５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４６】
１、２、３、４    コネクタの嵌合構造
１０、１００、３００  雌型コネクタ
１１              雄端子
１１ａ            電気接続部
２０、１１０、３１０  雌型コネクタハウジング
２０ａ            外周面
２０ｂ            端部
２０ｃ            一端
２１              仕切り壁
２２              フランジ部
３０              液中側嵌合凹部
４０              嵌合凹部
４０ａ            端部外周面
４０ｂ            端縁面
４０ｃ            嵌入口
５０、２００、４００  雄型コネクタ
５１              雌端子
６０、２１０、４１０  雄型コネクタハウジング
６０ａ            外周
６０ｂ            嵌合方向後端部
６０ｃ            開口
６１              端子収容室
６１ａ            弾性片状係合部
６１ｂ            端子挿通孔
７０、２２０、４２０  覆い壁部
７１              嵌合方向直交壁部
７２              嵌合方向延出壁部
８０              分離型端子係止部
８１              当接突起部
Ｃ                合わせ目
【図１】
2013222673.tif 000003
【図２】
2013222673.tif 000004
【図３】
2013222673.tif 000005
【図４】
2013222673.tif 000006
【図５】
2013222673.tif 000007
【図６】
2013222673.tif 000008
【図７】
2013222673.tif 000009
【図８】
2013222673.tif 000010
【図９】
2013222673.tif 000011
【図１０】
2013222673.tif 000012
【図１１】
2013222673.tif 000013
【図１２】
2013222673.tif 000014
【図１３】
2013222673.tif 000015
【図１４】
2013222673.tif 000016